【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】    【請求項１】  遊技球を用いて１ゲームに対して所定単位の賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能な遊技球を用いたスロットマシンにおいて、  遊技球の取込を行う取込装置と、 賭数として第１の単位の賭数よりも多い第２の単位の賭数を指定する際に操作される賭数設定操作手段と、 前記賭数設定操作手段が操作されたときに、前記取込装置の取込動作により該賭数設定操作手段により指定された前記第２の単位の賭数を設定するのに必要な数の遊技球を取り込むための取込制御を行う取込制御手段と、 前記取込装置の取込動作により取り込まれた遊技球を検出する取込球検出手段と、 前記取込装置の取込動作により前記取込球検出手段にて検出された遊技球数が、１単位の賭数を設定するのに必要な単位球数に到達することにより１単位の賭数の設定を行う賭数設定手段と、  前記ゲームの開始を指示する際に操作されるゲーム開始指示手段と、 前記賭数設定手段により前記第１の単位の賭数または前記第２の単位の賭数が設定されているときに、前記ゲーム開始指示手段の操作による前記ゲームの開始指示を受付けるゲーム開始指示受付手段と、 遊技者に対して遊技球の払出を行う払出装置と、 前記払出装置により遊技球を払い出させる払出制御を行う払出制御手段と、  を備え、 前記ゲーム開始指示受付手段は、前記賭数設定操作手段の操作による前記取込制御が終了したときに、前記取込球検出手段により検出された遊技球数が前記第２の単位の賭数を設定するのに必要な数を満たす場合には、前記第２の単位の賭数に基づいて前記ゲームの開始指示の受付けを有効とし、前記第２の単位の賭数を設定するのに必要な数に満たない場合には、前記第１の単位の賭数を設定するのに必要な数を満たすことを条件に前記第１の単位の賭数に基づいて前記ゲームの開始指示の受付けを有効とし、 前記払出制御手段は、前記取込球検出手段により検出された遊技球数が前記第１の単位の賭数を設定するのに必要な数を超えるが前記第２の単位の賭数を設定するのに必要な数に満たない状況において前記ゲームの開始指示が受付けられたときに、前記取込球検出手段により検出された遊技球数のうち、前記第１の賭数を設定するのに必要な数を超える分の遊技球を返却するための払出を前記払出装置に行わせる制御を行う、  ことを特徴とする遊技球を用いたスロットマシン。【手続補正２】
【補正対象書類名】明細書
【補正対象項目名】００１３
【補正方法】変更
【補正の内容】
【００１３】    【課題を解決するための手段】  上記課題を解決するために、本発明の遊技球を用いたスロットマシンは、  遊技球（パチンコ球）を用いて１ゲームに対して所定単位の賭数を設定すること（１、２、３のいずれかが賭数として設定されること）によりゲームが開始可能となるとともに、表示状態を変化させることが可能な可変表示装置（可変表示装置５０）の表示結果が導出表示されることにより１ゲームが終了し、該可変表示装置の表示結果に応じて所定の入賞が発生可能な遊技球を用いたスロットマシン（スロットマシン１）において、  遊技球の取込を行う取込装置（取込装置７００）と、 賭数として第１の単位（２）の賭数よりも多い第２の単位（３）の賭数を指定する際に操作される賭数設定操作手段（ＭＡＸＢＥＴボタン３６ｂ）と、 前記賭数設定操作手段（ＭＡＸＢＥＴボタン３６ｂ）が操作されたときに、前記取込装置（取込装置７００）の取込動作（取込モータ７０１の駆動）により該賭数設定操作手段により指定された前記第２の単位（３）の賭数を設定するのに必要な数（１５球）の遊技球を取り込むための取込制御（取込処理）を行う取込制御手段（遊技制御部２１０）と、 前記取込装置の取込動作により取り込まれた遊技球を検出する取込球検出手段（取込球検出スイッチ７０４）と、 前記取込装置の取込動作により前記取込球検出手段にて検出された遊技球数が、１単位の賭数を設定するのに必要な単位球数（５球）に到達すること（取込球カウンタが５に到達すること）により１単位の賭数の設定を行う（ＢＥＴカウンタを１加算する）賭数設定手段と、  前記ゲームの開始を指示する際に操作されるゲーム開始指示手段（スタートレバー３８）と、 前記賭数設定手段により前記第１の単位（２）の賭数または前記第２の単位（３）の賭数が設定されているときに、前記ゲーム開始指示手段（スタートレバー３８）の操作による前記ゲームの開始指示を受付けるゲーム開始指示受付手段と、 遊技者に対して遊技球の払出を行う払出装置（払出装置６００）と、 前記払出装置により遊技球を払い出させる払出制御を行う払出制御手段（遊技制御部２１０）と、  を備え、 前記ゲーム開始指示受付手段は、前記賭数設定操作手段（ＭＡＸＢＥＴボタン３６ｂ）の操作による前記取込制御（取込処理）が終了したときに、前記取込球検出手段（取込球検出スイッチ７０４）により検出された遊技球数が前記第２の単位の賭数を設定するのに必要な数を満たす場合（１５球取り込まれた場合）には、前記第２の単位の賭数に基づいて前記ゲームの開始指示の受付けを有効とし（賭数が３の状態でスタート操作を有効とする）、前記第２の単位の賭数を設定するのに必要な数に満たない場合（取り込んだ遊技球が１５球に満たない場合）には、前記第１の単位の賭数を設定するのに必要な数を満たすこと（１０球以上取り込んでいること）を条件に前記第１の単位の賭数に基づいて前記ゲームの開始指示の受付けを有効とし（賭数が２の状態でスタート操作を有効とする）、 前記払出制御手段は、前記取込球検出手段（取込球検出スイッチ７０４）により検出された遊技球数が前記第１の単位（２）の賭数を設定するのに必要な数（１０球）を超えるが前記第２の単位（３）の賭数を設定す���のに必要な数（１５球）に満たない状況において前記ゲームの開始指示（スタート操作）が受付けられたときに、前記取込球検出手段（取込球検出スイッチ７０４）により検出された遊技球数のうち、前記第１の賭数を設定するのに必要な数を超える分（１０球を超える分）の遊技球を返却するための払出を前記払出装置（払出装置６００）に行わせる制御を行う、  ことを特徴としている。  この特徴によれば、ゲーム開始指示が受け付けられた段階において、結果的に遊技球を余分に取り込んでしまった状況が発生した場合においても、余分に取り込んだ数分の遊技球を確実に遊技者に返却することが出来る。【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】０２６２
【補正方法】削除
【補正の内容】
【手続補正１１】
【補正対象書類名】明細書
【補正対象項目名】０２６３
【補正方法】削除
【補正の内容】
【手続補正１３】
【補正対象書類名】明細書
【補正対象項目名】０２６４
【補正方法】削除
【補正の内容】
【手続補正１４】
【補正対象書類名】明細書
【補正対象項目名】０２６５
【補正方法】削除
【補正の内容】
【手続補正１５】
【補正対象書類名】明細書
【補正対象項目名】０２６６
【補正方法】削除
【補正の内容】
【手続補正１６】
【補正対象書類名】明細書
【補正対象項目名】０２６７
【補正方法】削除
【補正の内容】
【手続補正１７】
【補正対象書類名】明細書
【補正対象項目名】０２６８
【補正方法】削除
【補正の内容】
【手続補正１８】
【補正対象書類名】明細書
【補正対象項目名】０２６９
【補正方法】削除
【補正の内容】
【手続補正１９】
【補正対象書類名】明細書
【補正対象項目名】０２７０
【補正方法】削除
【補正の内容】
【手続補正２０】
【補正対象書類名】明細書
【補正対象項目名】０２７２
【補正方法】変更
【補正の内容】
【０２７２】 本発明によれば、ゲーム開始指示が受け付けられた段階において、結果的に遊技球を余分に取り込んでしまった状況が発生した場合においても、余分に取り込んだ数分の遊技球を確実に遊技者に返却することが出来る。
【手続補正２１】
【補正対象書類名】明細書
【補正対象項目名】０２７３
【補正方法】削除
【補正の内容】
【手続補正２２】
【補正対象書類名】明細書
【補正対象項目名】０２７４
【補正方法】削除
【補正の内容】
【手続補正２３】
【補正対象書類名】明細書
【補正対象項目名】０２７５
【補正方法】削除
【補正の内容】
【手続補正２４】
【補正対象書類名】明細書
【補正対象項目名】０２７６
【補正方法】削除
【補正の内容】
【手続補正２５】
【補正対象書類名】明細書
【補正対象項目名】０２７７
【補正方法】削除
【補正の内容】
【手続補正２６】
【補正対象書類名】明細書
【補正対象項目名】０２７８
【補正方法】削除
【補正の内容】
【手続補正２７】
【補正対象書類名】明細書
【補正対象項目名】０２７９
【補正方法】削除
【補正の内容】